(57)【特許請求の範囲】
【請求項１】
排気通路に配置された排気浄化触媒と、前記排気通路の前記排気浄化触媒より上流に配置され、前記排気通路内に還元剤を添加する還元剤供給手段とを備える内燃機関において、
前記還元剤供給手段と前記排気浄化触媒との間に排気絞り弁を配置すると共に、還元剤の添加に伴い前記排気絞り弁を閉じ側に制御する排気絞り弁制御手段を備えることを特徴とする内燃機関の排気浄化装置。
【請求項２】
前記排気絞り弁制御手段は、還元剤添加量の積算値に応じて前記排気絞り弁を閉じ側に制御することを特徴とする請求項１に記載の内燃機関の排気浄化装置。
【請求項３】
前記排気絞り弁付近の排気ガス温度を測定または推定する排気ガス温度検出手段を備え、
前記排気絞り弁制御手段は、前記排気ガス温度に応じて前記排気絞り弁を閉じ側に制御することを特徴とする請求項１に記載の内燃機関の排気浄化装置。
【請求項４】
前記排気絞り弁制御手段は、前記還元剤添加量の積算値または排気ガス温度の少なくともいずれか一方に応じて、前記排気絞り弁の開度および／または閉じ時間を変更できることを特徴とする請求項１に記載の内燃機関の排気浄化装置。
【請求項５】
前記排気絞り弁制御手段は前記排気絞り弁の上流と下流の差圧を測定する差圧センサを備え、前記差圧センサにより前記差圧が一定になるように前記排気絞り弁を制御することを特徴とする請求項１から４の何れかに記載の内燃機関の排気浄化装置。
【発明の詳細な説明】
【０００１】
【発明の属する技術分野】
本発明は、内燃機関の排気浄化装置に関し、より詳細には、内燃機関の排気系に排気浄化触媒および還元剤供給装置を備える排気浄化装置に関する。
【０００２】
【従来の技術】
この種類の排気浄化装置としては、例えば特開平６−２００７４０号公報に開示されたものがある。この装置は、ディーゼル機関の排気通路に、酸素過剰雰囲気下で窒素酸化物（ＮＯx）を吸蔵するリーンＮＯｘ触媒を備え、このリーンＮＯｘ触媒で排気ガス中の窒素酸化物（ＮＯｘ）を吸蔵し、リーンＮＯｘ触媒の窒素酸化物（ＮＯｘ）の吸蔵効率が低下した場合にリーンＮＯｘ触媒への排気ガスの流量を減少させ、液状の還元剤を微粒子化して添加することにより、リーンＮＯｘ触媒から窒素酸化物（ＮＯｘ）を放出させるとともに放出された窒素酸化物（ＮＯｘ）を還元浄化するものである。即ち、この装置では、供給された還元剤はリーンＮＯｘ触媒の触媒作用により燃焼して排気ガス中の酸素を消費し、リーンＮＯｘ触媒の雰囲気酸素濃度を低下させることにより、リーンＮＯｘ触媒から吸蔵された窒素酸化物（ＮＯｘ）が放出されて還元剤により還元浄化される。
【０００３】
上記従来の排気浄化装置においては、リーンＮＯｘ触媒の雰囲気酸素濃度を下げてリーンＮＯｘ触媒から吸蔵した窒素酸化物（ＮＯｘ）を放出させ還元浄化する時に、少ない還元剤の消費量でリーンＮＯｘ触媒の還元浄化を効率よく行うために、リーンＮＯｘ触媒よりも上流の排気管において排気上流側から順に排気絞り弁、還元剤添加弁を設置し、還元剤の添加時には、この排気絞り弁の開度を減少させて排気ガスの流量を減少させた後に還元剤を添加して、極力、少量の還元剤でリーンＮＯｘ触媒に流れ込む排気ガスの酸素濃度を局所的に低下させている。
【０００４】
【発明が解決しようとする課題】
上記従来の排気浄化装置においては、排気浄化触媒であるリーンＮＯｘ触媒の雰囲気酸素濃度を下げて、リーンＮＯｘ触媒の還元浄化作用を促進させるために、還元剤をリーンＮＯｘ触媒に供給する。
【０００５】
しかしながら、本発明者等の鋭意研究によれば、上記した排気浄化触媒に対する還元剤の添加において、種々の改善すべき点が見いだされた。
【０００６】
まず、還元剤添加弁の排気下流では、排気通路内壁面に対する還元剤の付着が見られるため、上記排気浄化作用を促進するために必要とされる適切量の還元剤を添加したにも拘わらず、依然として排気ガスの酸素濃度は高い値を示す場合がある。すなわち、還元剤の実質的添加量が減少し、排気浄化率の低下を招く虞がある。
【０００７】
また、排気通路内壁面に対する還元剤の付着に絡み、還元剤の付着を見越して予め多めに還元剤を添加すれば、上記下排気浄化率の低下は回避されるが、還元剤の消費量を増やすことになる。とりわけ、還元剤として機関燃料（例えば、軽油）を添加する場合には、燃料消費量の悪化に繋がる。
【０００８】
また、還元剤の添加回数が増えるにつれ、排気通路内壁面に付着した還元剤は徐々に凝縮して液滴になるため、時として、この液滴の還元剤がリーンＮＯｘ触媒に流れ込み、リーンＮＯｘ触媒を局所的に昇温させ、リーンＮＯｘ触媒を局所的に劣化させる虞がある。
【０００９】
本発明は、このような技術的背景を考慮してなされたもので、排気通路内壁面に対する還元剤の付着を抑制可能な内燃機関の排気浄化装置を提供することを課題とする。
【００１０】
【課題を解決するための手段】
上記した技術的課題を解決するため本発明では、以下の構成とした。
【００１１】
本発明は、排気通路に配置された排気浄化触媒と、前記排気通路の前記排気浄化触媒より上流に配置され、前記排気通路内に還元剤を添加する還元剤供給手段とを備える内燃機関において、前記還元剤添加弁と前記排気浄化触媒との間に排気絞り弁を配置すると共に、還元剤の添加に伴い前記排気絞り弁を閉じ側に制御する排気絞り弁制御手段を備えることを特徴とする。
【００１２】
このように構成された本発明では、還元剤添加弁と排気浄化触媒との間に排気絞り弁を備え、排気絞り弁は、還元剤の添加に伴い閉じ側に制御される。このため、排気絞り弁の閉じ側への制御によって、排気通路内壁面近傍の流速が局所的に上昇し、既に付着している還元剤の霧化が促される。また、排気通路内壁面に対する還元剤の付着も抑制される。
【００１３】
なお、上記で「還元剤の添加に伴い排気絞り弁を閉じ側に制御する」とは、現に還元剤が添加されている状況、または、還元剤を添加してもよいとみなせる状況において、排気絞り弁を閉じ側に制御することを意図し、排気絞り弁の制御時は、実際の還元剤添加の有無を問題にするものではない。また、上記排気浄化触媒とは、還元剤の添加によって排気浄化作用が回復する排気浄化触媒全般を意図する。
【００１４】
また、排気絞り弁制御手段は、還元剤添加量の積算値に応じて前記排気絞り弁を閉じ側に制御してもよい。
【００１５】
この構成では、還元剤の添加量が積算値に達したときに排気絞り弁を閉じ側に制御する。つまり、排気通路内壁面に対する還元剤の付着がある程度進行したときに排気絞り弁を制御し、排気通路内壁面に付着している還元剤の霧化を促す。よって、機関出力の変動を招く排気絞り制御の実行頻度減らすことができる。
【００１６】
また、排気絞り弁付近の排気ガス温度を測定または推定する排気ガス温度検出手段を備え、前記排気絞り弁制御手段は、前記排気ガス温度に応じて前記排気絞り弁を閉じ側に制御してもよい。
【００１７】
この構成では、排気ガス温度検出手段によって排気ガス温度を測定または推定し、その排気ガス温度に応じて排気絞り弁を制御する。つまり、還元剤は、排気ガス温度が低下するほど、排気通路内壁面に対して付着し易くなるため、本構成では、このような状況で排気絞り弁を閉じ側に制御する。
【００１８】
さらに、排気絞り弁制御手段は、前記還元剤添加量の積算値または排気ガス温度の少なくともいずれか一方に応じて、前記排気絞り弁の開度および／または閉じ時間を変更できるとしてもよい。
【００１９】
この構成では、還元剤添加量の積算値または排気ガス温度の少なくとも一方に応じて、排気絞り弁の制御に相関のある開度および／または閉じ時間を制御するため、その時々の状況に応じた最適の開度や閉じ時間が得られる。
【００２０】
また、排気絞り弁制御手段は前記排気絞り弁の上流と下流の差圧を測定する差圧センサを備え、前記差圧センサにより前記差圧が一定になるように前記排気絞り弁を制御してもよい。
【００２１】
この構成では、排気絞り弁の閉弁制御によって生じる差圧を差圧センサにて検出し、その差圧を排気絞り弁の閉弁制御にフィードバックする。つまり、排気絞り弁の上流と下流との間に生じる差圧を一定に維持し、排気絞り弁の制御中における排気ガス流量の急激な変化に伴う機関出力の変動を抑制する。
【００２２】
【発明の実施の形態】
続いて、本発明に係る内燃機関の排気浄化装置に関し、その好適な実施形態について説明する。なお、以下に示す排気浄化触媒の構造は、あくまでも本発明の一実施形態にすぎず、その詳細は、内燃機関の各種仕様等に応じて変更可能である。
【００２３】
まず、本実施の形態では、ディーゼル機関等に代表される希薄燃焼式内燃機関１の排気系に触媒コンバータ５０、及び還元剤供給装置を備えて排気浄化装置を構成している。
【００２４】
触媒コンバータ５０は、ケーシング、及びそのケーシング内に設けられる種々の排気浄化触媒５０a，５０bを備え、機関本体１から排出される排気ガス中の有害物質を浄化する排気浄化作用を有する。より詳しくは、内燃機関１のタービンハウジング下流にケーシングが配置され、ケーシング内には、排気上流側から吸蔵還元型ＮＯｘ触媒５０a、パティキュレートフィルタ（以下、単にフィルタと称する）５０bの順に排気浄化触媒が内蔵されている。
【００２５】
吸蔵還元型ＮＯｘ触媒５０aは、希薄燃焼式内燃機関の排気系に設けられるリーンＮＯｘ触媒の代表例であり、排気ガス中の窒素酸化物（ＮＯｘ）を主として浄化する排気浄化作用を有している。
【００２６】
より詳しくは、排気ガスの酸素濃度が高いときにその排気ガス中の窒素酸化物（ＮＯｘ）を吸蔵し、排気ガス中の酸素濃度が低いとき、すなわち吸蔵還元型ＮＯｘ触媒に流れ込む排気ガスの空燃比が低いときにその吸蔵していた窒素酸化物（ＮＯｘ）を排気ガス中に含まれている未燃燃料成分（ＣＯ、ＨＣ）と反応させることで、無害な窒素（Ｎ2）に浄化する排気浄化能を有する。
【００２７】
また、その構成は、例えばアルミナ（Ａｌ2Ｏ3）を担体とし、その担体上にカリウム（Ｋ）、ナトリウム（Ｎａ）、リチウム（Ｌｉ）、セシウム（Ｃｓ）等のアルカリ金属、若しくはバリウム（Ｂａ）、カルシウム（Ｃａ）等のアルカリ土類、又はランタン（Ｌａ）、イットリウム（Ｙ）等の希土類から選ばれた少なくとも一つと、白金（Ｐｔ）のような貴金属とを担持してなる。
【００２８】
なお、ここで上記した排気浄化作用の補足説明を行うと、希薄燃焼式内燃機関１では、通常、酸素過剰雰囲気下で燃焼が行われている。このため燃焼に伴い排出される排気ガスの酸素濃度は、上記の還元・放出作用を促す迄に低下することは殆どなく、また、排気ガス中に含まれる未燃燃料成分（ＣＯ，ＨＣ）も極僅かである。
【００２９】
したがって、本実施の形態では、還元剤たる機関燃料（ＨＣ）を排気ガス中に噴射供給することで酸素濃度の低下を促し、また、未燃燃料成分たる炭化水素（ＨＣ）を排気ガス中に補給して上記の排気浄化作用を促進させている。なお、この浄化時における還元剤の供給は、後述の還元剤供給装置によって行われている。本実施の形態では、この還元剤添加装置によって本発明に係る還元剤供給手段が構成されている。なお、還元剤供給装置の説明は後に詳述する。なお、触媒コンバータ５０は吸蔵還元型NOｘ触媒がない構造、即ちフィルタ５０bのみでも適用可能である。
【００３０】
一方のフィルタ５０bは、排気ガス中に含まれる煤などの微粒子を触媒物質の働きで酸化燃焼させる排気浄化触媒の一種である。より詳しくは、触媒物質として活性化酸素放出剤を担持したフィルタ基材５８を備え、そのフィルタ基材５８上に捕集した微粒子を活性化酸素の酸化力にて酸化燃焼させることで浄化（除去）する排気浄化作用を備えている。
【００３１】
フィルタ基材５８は、図２に示されるようにコージライトのような多孔質材料から形成されたハニカム形状をなし、互いに平行をなして延びる複数個の流路５５，５６を具備している。より具体的には、下流端が栓５５ａにより閉塞された排気ガス流入通路５５と、上流端が栓５６ａにより閉塞された排気ガス流出通路５６と、を備え、各排気ガス流入通路５５及び排気ガス流出通路５６は薄肉の隔壁５７を介してフィルタ基材５８における縦方向及び横方向に並んで配置されている。
【００３２】
また、壁５７の面および内部の細孔には、アルミナ（Ａｌ2Ｏ3）等によって形成された担体の層が設けられ、担体上には、白金（Ｐｔ）等の貴金属触媒の他、周囲に過剰酸素が存在するとその過剰酸素を吸蔵し、逆に酸素濃度が低下すると、その吸蔵した酸素を活性酸素の形で放出する活性酸素放出剤が担持されている。
【００３３】
なお、活性酸素放出剤としては、カリウム（Ｋ）、ナトリウム（Ｎａ）、リチウム（Ｌｉ）、セシウム（Ｃｓ）、ルビジウム（Ｒｂ）のようなアルカリ金属、バリウム（Ｂａ）、カルシウム（Ｃａ）、ストロンチウム（Ｓｒ）のようなアルカリ土類金属、ランタン（Ｌａ）、イットリウム（Ｙ）のような希土類、およびセリウム（Ｃｅ）、錫（Ｓｎ）のような遷移金属から選ばれた少なくとも一つを用いるとよい。
【００３４】
また、好ましくは、カルシウム（Ｃａ）よりもイオン化傾向の高いアルカリ金属又はアルカリ土類金属、即ちカリウム（Ｋ）、リチウム（Ｌｉ）、セシウム（Ｃｓ）、ルビジウム（Ｒｂ）、バリウム（Ｂａ）、ストロンチウム（Ｓｒ）などを用いるとよい。
【００３５】
このように構成されたフィルタ５０bでは、まず、排気ガス流入通路５５→隔壁５７→排気ガス流出通路５６の順に排気ガスが流れ（図２矢印ａ）、排気ガス中に含まれる煤などの微粒子は、その隔壁５７を通過する過程で、隔壁５７の表面及び内部に捕集される。そして、隔壁５７に捕集された微粒子は、隔壁５７（フィルタ基材）に流れ込む排気ガスの酸素濃度を複数回に亘り変化させることで増加する活性化酸素によって酸化され、ついには輝炎を発することなく燃え尽きてフィルタ基材５８上から除去される。なお、本実施の形態では、活性酸素放出剤を担持したパティキュレートフィルタ５０bに代え、NOｘ触媒やNOｘ吸蔵剤を担持したフィルタ、あるいはNOｘ触媒やNOｘ吸蔵剤を担持したモノリス担体を適用してもよい。
【００３６】
また、本実施の形態では、フィルタ５０bに流れ込む排気ガスの酸素濃度を変化させるにあたり、吸蔵還元型NOｘ触媒５０a同様、還元剤供給手段から還元剤たる機関燃料（炭化水素：ＨＣ）を排気ガス中に噴射供給することで排気ガスの酸素濃度を変化させている。つまり、本実施の形態では、吸蔵還元型ＮＯｘ触媒５０aおよびフィルタ５０bを内蔵した触媒コンバータ５０を排気管１１に配置することで排気ガス中に含まれる窒素酸化物（ＮＯｘ）および煤などの微粒子を浄化している。
【００３７】
続いて、上記した吸蔵還元型ＮＯｘ触媒５０a、及びフィルタ５０bの排気浄化作用を促す還元剤供給装置について説明する。
【００３８】
還元剤供給装置は、触媒コンバータ５０上流の排気管１１に取り付けられた還元剤添加弁２１、及び内燃機関１の制御系に設けられる電子制御ユニット２２等にて構成されている。
【００３９】
還元剤添加弁２１は、電気式の開閉弁であり、電子制御ユニット２２に準備される還元剤供給プログラムのもと、適切量の還元剤を適宜のタイミングで排気ガス中に噴射供給している。また、還元剤添加弁２１は、内燃機関の燃料供給系に接続されており、その燃焼供給系から供給される機関燃料を還元剤として触媒コンバータ５０に供給している。
【００４０】
また、電子制御ユニット２２は、触媒コンバータ５０下流に設けられた空燃比センサの出力、およびフィルタ５０bの排気上流側および排気下流側に設けられた排気ガス温度センサ２４ａ，２４ｂの出力、さらに機関運転に即して変化する各種機関運転履歴などに基づき還元剤の供給量や供給時期を算出し、その算出した供給量および供給タイミングに基づき、還元剤添加弁２１の開閉を制御している。なお、電子制御ユニット２２では、その還元剤添加弁２１の開弁制御において、一供給過程につき、複数回の供給動作（開弁動作）を実施させることで所定量の還元剤を排気浄化触媒に供給するようにしている。
【００４１】
このように本実施の形態では、還元剤供給手段にて還元剤たる機関燃料を排気ガス中に噴射供給し、上記した吸蔵還元型ＮＯｘ触媒５０a、およびフィルタ５０bの排気浄化作用を促している。
【００４２】
なお、上記触媒コンバータ５０の下流に酸化触媒コンバータ（図示せず）を設け、触媒コンバータ５０で浄化されずに流れ出た排気ガス中の未燃燃料成分（ＨＣ，ＣＯ）を浄化してもよい。
【００４３】
また、本実施の形態では、上記した還元剤供給装置に絡み、還元剤添加弁２１の排気下流に排気絞り弁２０を備えている。すなわち、還元剤添加弁２１と触媒コンバータ５０との間に排気絞り弁２０が設けられている。
【００４４】
排気絞り弁２０は、還元剤添加弁２１と触媒コンバータ５０との間に設けられるバタフライ弁であり、その開閉制御は、電子制御ユニット２２で処理されている。より詳しくは、排気通路内壁面に付着した還元剤を吹き飛ばすのに適した流速が得られる制御量を算出し、排気絞り弁２０を最適な開度に制御する。つぎに、排気絞り弁２０が閉じ側に制御されたことにより、排気絞り弁２０近傍の流速は上昇し、還元剤の添加に伴い排気通路内壁面に付着した還元剤の霧化を促す。また、添加された還元剤が排気通路内壁面に付着することを抑制する。
【００４５】
ここで排気絞り弁２０の制御量は、排気絞り弁２０の開度、排気絞り弁２０の閉じ時間、またはその両方としてもよい。排気絞り弁２０の開度は、図３に示すようなエンジン回転数と還元剤添加量の積算値と排気絞り弁２０の開度との関係を表す二次元マップから設定される。
【００４６】
ここで、二次元マップについて説明する。排気通路内壁面に付着する還元剤を吹き飛ばすための流速は、排気絞り弁２０の開度を調整することにより制御することができる。つまり、還元剤を吹き飛ばすための流速を速くするには、排気絞り弁２０の開度を閉じ側に制御し、流速を遅くするには、排気絞り弁２０の開度を開き側に制御する。
【００４７】
また、還元剤を吹き飛ばすための流速は、排気通路内に添加された還元剤の積算値と排気絞り弁２０の閉弁制御以前における排気通路内の流速に相関がある。つまり、還元剤の添加量の積算値がわずかであれば、還元剤を吹き飛ばすために必要とされる流速は遅くてよく、排気絞り弁２０の開度をわずかに閉じ側に制御するか、あるいは全開状態でよい。一方、還元剤の添加量の積算値が大きければ、還元剤を吹き飛ばすために必要とされる流速は速くなり、排気絞り弁２０の開度を大きく閉じ側に制御しなければならない。
【００４８】
また、エンジン回転数が大きいならば、排気通路を流れる排気流量が多いため、排気通路内の流速は速い。そのため、還元剤を吹き飛ばすのに必要とされる流速を得るには、排気絞り弁２０の開度をわずかに閉じ側に制御するか、あるいは全開状態でよい。一方、エンジン回転数が小さいならば、排気通路を流れる流量が少ない。そのため、還元剤を吹き飛ばすのに必要とする流速を得るため、排気絞り弁２０の開度を大きく全閉側に制御しなければならない。
【００４９】
すなわち、この排気絞り弁２０の開度は、図３に示すようなエンジン回転数と還元剤添加量の積算値と排気絞り弁２０の開度との二次元マップから設定することができる。なお、この２次元マップは各種予備実験により把握可能である。このような二次元マップは、電子制御ユニット２２が備えるＲＯＭに予め記憶しておく。
【００５０】
また一方で、上記した制御により排気絞り弁２０の開度を所定開度に設定した後であっても、排気通路内壁面の流速を一定に保持することができない状況もある。すなわち、排気流量は運転状態の変化によって変動するため、排気絞り弁２０を所定開度に若干の補正をする必要が生じる場合がある。その際に差圧センサ２３を用いて、排気絞り弁２０の上流と下流との間に生じる圧力差を一定に保持するように制御することにより、排気流量の変動に対して適宜に排気絞り弁２０の開度を制御することができる。
【００５１】
また、排気絞り弁２０を一度に急激に閉じ側に制御した場合、排気絞り弁２０と内燃機関との間の排気通路内の圧力が高くなりすぎ、トルクショックを招くおそれがある。その際、差圧センサ２３を用いることにより、排気絞り弁２０の上流と下流との間に生じる差圧を一定維持しすることでトルクショックを抑制しながら、排気絞り弁２０を制御できる。
【００５２】
続いて、上記した内容をふまえ、排気絞り弁２０の制御について図５に示す処理ルーチンを参照して説明する。なお、本実施の形態では、下記処理ルーチンの実行に必要とされる先の電子制御ユニット２２、および各種センサ類にて、本発明に係る排気絞り弁制御手段を構成している。
【００５３】
まず、電子制御ユニット２２では、種々のセンサ類から内燃機関の運転状況を読み込み（ステップ１１０）、還元剤を添加すべき状況か否かを判定する（ステップ１２０）。
【００５４】
なお、ステップ１２０では、還元剤を添加すべき状況として、上記した排気浄化作用を促進させる状況の他、排気浄化触媒を昇温させる昇温制御の要求時、また、フィルタ５０bのＳＯｘ被毒を回復するＳＯｘ被毒回復制御の要求時において、還元剤を添加すべき状況として判定している。また、上記した還元剤の添加要求は、ステップ１１０にて読み込まれる運転状況のうち、例えば、走行距離数、走行時間等が所定条件を満たす時に出力されるものである。
【００５５】
また、上記昇温制御とは、排気浄化触媒に還元剤を供給し、その還元剤とフィルタ５０bに担持される触媒物質との反応熱によって排気浄化触媒を強制的に昇温させる周知の制御である。また、一方のＳＯｘ被毒回復制御は、排気ガス中に含まれる硫黄酸化物（ＳＯｘ）の吸蔵に起因したフィルタ５０bの排気浄化率の低下即ち「ＳＯｘ被毒」を回復（解消）するための制御であり、ＳＯｘ被毒回復時には、フィルタ５０bを約６００℃以上に昇温させた後に還元剤を供給して、ＳＯｘ被毒の原因となる硫黄酸化物（ＳＯｘ）の熱分解および放出を促す。
【００５６】
続いて、電子制御ユニット２２では、ステップ１２０の判定において、還元剤を添加すべきとの判定結果の成立を受け、排気絞り弁２０を閉じ側に制御するか否かを還元剤添加量の積算値に基づき判定する（ステップ１３０）。
【００５７】
つまり、排気通路内壁面に付着した還元剤は、度重なる還元剤の噴射に応じて徐々に増え、やがて液滴となって触媒コンバータ５０に流れ込みフィルタ５０b等の劣化原因となるが、その付着量は、これまでに添加した還元剤の積算値によって概ね把握できる。このため本実施の形態では、この還元剤添加量の積算値に応じて排気絞り制御の有無を決定する。より詳しくは、還元剤の付着量が許容量に達したか否かの判定基準となる所定の積算値（Ｒ）を定め、還元剤添加量の積算値が所定の積算値（Ｒ）に達したことを受け、排気絞り制御を実施すべき状況と判定する。なお、判定基準に相当する所定の積算値（Ｒ）は、還元剤の付着に相関のある添加弁の形状、噴射圧力等を加味して実施した各種予備実験にて把握可能である。
【００５８】
続いて、電子制御ユニット２２では、所定の積算値（Ｒ）に還元剤の添加量が達したことを受け、排気絞り弁２０を閉じ側に制御して排気通路内壁面近傍の流速を上昇させる（ステップ１４０）。即ち、本ステップ１４０では、排気絞り弁２０を閉じ側に制御することで、排気通路内壁面近傍の流速を上げ、既に付着している還元材の霧化を促進しつつ吹き飛ばす。よって、付着した還元剤が液滴になる以前に排気通路内壁面から離脱する。その後、本処理ルーチンを一旦終了する。
【００５９】
一方、ステップ１２０で、還元剤を添加すべき状況でないと判定したときには、還元剤が添加されないとみなせ、ステップ１３０を経ることなく本ルーチンを一旦終了する。また、ステップ１３０で、未だ還元剤の添加量が所定の積算値（Ｒ）に達していないときにも、還元剤の付着量が許容量にあるとみなせ、ステップ１４０を経ることなく本処理ルーチンを一旦終了する。
【００６０】
このように本実施の形態に示す排気浄化装置では、還元剤の添加に伴い排気絞り弁２０を閉じ側に制御し、排気通路内壁面近傍の流速を強制的に上昇させることで、排気通路内壁面に付着していた還元剤の霧化を促進しつつ吹き飛ばす。よって霧化が促進された還元剤が触媒コンバータ５０に流れ込むため、液滴の還元剤の流入に伴う触媒コンバータ５０の劣化が防止される。
【００６１】
また、還元剤を吹き飛ばす排気絞り制御は、還元剤を添加すべき状況において実施されるため、吹き飛ばされた還元剤は、排気浄化作用の促進等に有効に作用し、もって、還元剤の無駄な消費等を防止できる。
【００６２】
また、上記した処理ルーチンは、あくまで本発明の一実施例でありその詳細は、所望に応じて変更可能である。以下、図６から図８を参照して、その変更例について説明する。なお、以下に示すフローチャートにおいて、上記した処理ルーチンと重複する部分については、省略して説明する。
【００６３】
まず、実施例１として図６に示す処理ルーチンでは、排気絞り弁２０を閉じ側に制御するか否かの判定において、排気ガス温度に基づいて排気絞り弁制御の有無を決定するフローに変更した。つまり、 排気ガス温度が低いときには、排気通路内壁面の温度も低く、添加した還元剤は、排気通路内壁面において急激に冷却され、排気通路内壁面に付着する傾向にあるため、本実施例１では排気ガス温度に関連づけて排気絞り弁２０を制御する。
【００６４】
ここで、本実施の形態における排気ガス温度は、フィルタ５０b上流側に取り付けられた排気ガス温度センサ２４aで検出される温度、即ちフィルタ５０bに流入する排気ガス温度とする。すなわち、排気通路内壁面における排気ガス温度をフィルタ５０bに流入する排気ガス温度として推定する。
【００６５】
まず、電子制御ユニット２２では、ステップ１２０の判定において、還元剤を添加すべきとの判定結果の成立を受け、排気絞り弁２０を閉じ側に制御するか否かを排気ガス温度に基づき判定する（ステップ２３０）。すなわち、ステップ２３０では、噴射した還元剤が排気通路内壁面に付着しやすい状況にあるか否かを判定すべく所定の温度（Ｔ）を閾値として、還元剤の付着状況を判定する。なお、判定基準に相当する所定の温度（Ｔ）は、還元剤添加量等を加味して実施した各種予備実験にて把握可能である。
【００６６】
続いて、電子制御ユニット２２では、未だ所定の温度（Ｔ）に排気ガス温度が達していないことを受け、還元剤が付着しやすい状況にあるとみなし、排気絞り弁２０を閉じ側に制御して排気通路内壁面近傍の流速を上昇させる（ステップ１４０）。即ち、本ステップ１４０では、排気絞り弁２０を閉じ側に制御することで、排気通路内壁面近傍の流速を上げ、既に付着している還元剤の霧化を促進しつつ吹き飛ばす。よって、付着した還元剤が液滴になる以前に排気通路内壁面から離脱する。
【００６７】
また、ステップ２３０で、排気ガス温度が所定の温度（Ｔ）に達したときには、還元剤が付着しにくい状況であるとみなせ、ステップ１４０を経ることなく本処理ルーチンを一旦終了する。
【００６８】
続いて、実施例２として、図７に示す処理ルーチンを参照にして説明する。なお、本実施例は、排気絞り弁２０を閉じ側に制御するか否かの判定において、上記した実施例を組み合わせ、さらに、排気絞り制御を実施した後に排気絞り弁２０を通常の開度に戻す制御を加えたものである。
【００６９】
すなわち、電子制御ユニット２２では、ステップ３２０において還元剤を添加すべきとの判定結果の成立を受け、還元剤の添加量の積算値が所定の積算値（R）に達し（ステップ３３０）、さらに、排気ガス温度が所定温度（T）に達していない（ステップ３４０）ことを受けて、排気絞り弁２０を閉じ側に制御する。なお、本実施例では、ステップ３３０で還元剤の積算値に基づく判定の後にステップ３４０で排気ガス温度に基づいて判定を実施するが、ステップ３３０とステップ３４０の順序を入れ替えることも可能である。すなわち、排気ガス温度に基づく判定の後に還元剤の積算値に基づく判定を実施してもよい。
【００７０】
続いて、電子制御ユニット２２では、排気絞り弁２０を閉じ側に制御（ステップ３５０）した後、閉弁時間が所定時間経過した否かを判定する（ステップ３６０）。すなわち、ステップ３６０では、排気通路内壁面に付着している還元剤の吹き飛ばしが十分であるか否かを所定時間を基準として判定する。なお、判定基準に相当する所定時間は、還元剤の付着に相関のある還元剤添加量や排気ガス温度等を加味して実施した各種予備実験にて把握可能である。
【００７１】
そして、電子制御ユニット２２では、排気絞り弁２０の制御後、所定時間経過したことを受け、排気通路内壁面に付着している還元剤の吹き飛ばしが終了したとみなし、排気絞り弁２０を通常の開度に戻す（ステップ３７０）。その後、本処理ルーチンを一旦終了する。
【００７２】
また、未だ所定時間経過していないときには、排気通路内壁面に付着している還元剤の吹き飛ばしが不十分であるとみなし、引き続き排気絞り弁２０を閉じ側に維持して、排気通路内壁面に付着している還元剤の吹き飛ばしを維持する。
【００７３】
続いて、実施例３では、図７に示す実施例２のステップ３５０の処理に代えて、その時々において最適とされる排気絞り弁２０の開度、および／または閉弁時間を算出しつつ、その算出値に応じて排気絞り弁２０を閉じ側に制御する処理に変更し、また、排気絞り弁２０の制御量が電子制御ユニット２２上にて設定した制御量（開度、閉じ時間）に達したか否かを判定する処理を追加した（図８参照）。
【００７４】
すなわち、本実施例３では、排気絞り弁２０を閉じ側にするだけでなく、その時々に応じた適宜の開度や閉じ時間に変更することができる。
【００７５】
以下、図８に示す処理ルーチンの詳細について説明する。
【００７６】
まず、実施例２と同様に、電子制御ユニット２２では、還元剤の添加量の積算値が、所定の積算値（Ｒ）に達し（ステップ３３０）、排気ガス温度が所定温度（Ｔ）に達していない（ステップ３４０）ことを受け、排気絞り弁２０の開度、また閉じ時間を、例えば、図３に示すマップ等を用いて算出しながら、その算出値に併せて排気絞り弁２０を制御する（ステップ４５０）。
【００７７】
続いて、電子制御ユニット２２では、ステップ４６０において排気絞り弁２０の制御後、その開度や閉じ時間が制御上の算出値（制御値）に達したことを受け、適切な開度や閉じ時間に制御したと見なし、排気絞り弁２０を通常の開度に戻して（ステップ３７０）、本処理ルーチンを一旦終了する。
【００７８】
なお、ステップ４６０で、未だ実際の制御量（開度、閉じ時間）が、制御上の算出値に達していないときには、還元剤の吹き飛ばしが不十分であるとみなし
引き続き、排気絞り弁２０の開度変更、及び開じ時間をその時々の算出値に応じて変更する。このように実施例３では、排気絞り弁２０を閉じ側にするだけでなく、その時々に応じた最適な開度や閉じ時間に変更する。
【００７９】
【発明の効果】
以上のように本発明によれば、排気通路内壁面に対する還元剤の付着を抑制可能な内燃機関の排気浄化装置を提供できる。
【図面の簡単な説明】
【図１】  本実施の形態に係る内燃機関の概略構造図。
【図２】  本実施の形態に係るパティキュレートフィルタの内部構造を示す図。
【図３】  エンジン回転数と還元剤添加量の積算値と排気絞り弁の開度との関係を表す二次元マップ。
【図４】  差圧センサを用いた排気絞り弁制御の概略構成図。
【図５】  本実施の形態に係る排気絞り弁の制御プログラムの処理ルーチンを示すフローチャート。
【図６】  実施例１に係る排気絞り弁の制御プログラムの処理ルーチンを示すフローチャート。
【図７】  実施例２に係る排気絞り弁の制御プログラムの処理ルーチンを示すフローチャート。
【図８】  実施例３に係る排気絞り弁の制御プログラムの処理ルーチンを示すフローチャート。
【符号の説明】
１  内燃機関
１１  排気管
２０  排気絞り弁
２１  還元剤添加弁
２２  電子制御ユニット
２３  差圧センサ
２４ａ、２４ｂ  排気ガス温度センサ
５０  触媒コンバータ
５０ａ  吸蔵還元型NOｘ触媒
５０ｂ  パティキュレートフィルタ
５５  排気ガス流入通路
５５ａ  栓
５６  排気ガス流出通路
５６ａ  栓
５７  隔壁
５８  フィルタ基材
【図１】
0003849553.tif 000002
【図２】
0003849553.tif 000003
【図３】
0003849553.tif 000004
【図４】
0003849553.tif 000005
【図５】
0003849553.tif 000006
【図６】
0003849553.tif 000007
【図７】
0003849553.tif 000008
【図８】
0003849553.tif 000009